(57)【特許請求の範囲】
【請求項１】
第１軸に沿って直動可能なシャフト部材と、
前記シャフト部材の先端において前記第１軸に垂直な第２軸周りにその一端が枢軸されるアーム部材と、
前記アーム部材の他端において前記第２軸と平行な第３軸周りに枢軸されるストロボ保持部材と、
前記シャフト部材を前記第１軸に沿って付勢する第１軸方向付勢手段と、
前記アーム部材を前記シャフト部材に対し前記第２軸周りに回転付勢する第２軸回転付勢手段と、
前記アーム部材に対して前記ストロボ保持部材を前記第３軸周りに回転付勢する第３軸回転付勢手段とを備え、
ポップアップ時、前記第１軸方向付勢手段により前記シャフト部材が前記カメラ本体から突出され、前記第１軸方向付勢手段による前記第１軸に沿った並進移動、前記第２および第３軸回転付勢手段による前記第２および第３軸周りの回転移動が同一面内でレンズ光軸から離れる方向へ行われる
ことを特徴とするカメラの内蔵ストロボポップアップ機構。
【請求項２】
ポップアップ時、前記ストロボ保持部材が前記並進移動により前記第１軸に沿ってレンズ光軸から離れる方向へ移動されるとともに、前記回転移動により前記レンズ光軸からさらに離れる方向へと移動されることを特徴とする請求項１に記載の内蔵ストロボポップアップ機構。
【請求項３】
ポップアップ状態において、前記第１軸に対し前記第３軸が前記第２軸よりも前記カメラ本体の内側に配置されることを特徴とする請求項１に記載の内蔵ストロボポップアップ機構。
【請求項４】
ポップアップ状態において、前記ストロボ保持部材が前記第１軸方向に前記カメラ本体に向けて押圧されると、前記ストロボ保持部材および前記アーム部材が前記第３、第２軸周りに回動され、その後前記シャフト部材が前記第１軸に沿って前記カメラ本体内へ向けて移動されるように前記第１軸方向付勢手段、前記第２軸回転付勢手段、前記第３軸回転付勢手段の付勢力が設定されることを特徴とする請求項１に記載の内蔵ストロボポップアップ機構。
【請求項５】
ポップアップ時、前記ストロボ保持部材が撮像素子の撮像面と平行な面内で移動されることを特徴とする請求項１に記載の内蔵ストロボポップアップ機構。
【請求項６】
前記アーム部材がストロボ保持部材よりも後方に配置されることを特徴とする請求項１に記載の内蔵ストロボポップアップ機構。
【請求項７】
前記アーム部材がストロボカバー内に収容可能であることを特徴とする請求項１に記載の内蔵ストロボポップアップ機構。
【請求項８】
前記シャフト部材がカメラ本体の端部に配置されることを特徴とする請求項１に記載の内蔵ストロボポップアップ機構。
【請求項９】
前記第２軸、第３軸周りの回転付勢力が互いに逆向きであることを特徴とする請求項１に記載の内蔵ストロボポップアップ機構。
【請求項１０】
ポップアップ状態において、前記ストロボ保持部材に設けられたストロボ発光部の横軸が撮像素子の水平ラインに略平行とされることを特徴とする請求項１に記載の内蔵ストロボポップアップ機構。
【請求項１１】
請求項１に記載の内蔵ストロボポップアップ機構を備えることを特徴とするカメラ。
【発明の詳細な説明】
【技術分野】
【０００１】
本発明は、カメラ本体に内蔵されたストロボをポップアップさせるためのポップアップ機構に関する。
【背景技術】
【０００２】
ストロボを内蔵したカメラには、ストロボ使用時に内蔵ストロボをカメラ本体からポップアップするものがある。これはストロボを撮影光軸からなるべく離し、ケラレの発生や赤目の発生を防止するためである。ポップアップ機構としては、例えば上下方向にスライドするシャフトを設け、シャフトをバネで上方に付勢し、シャフト上端にストロボ光源を配置したものがある。ストロボ収容時には、シャフトはカメラ本体内で押し下げられ、係止機構によりその位置が固定される。ストロボ使用時に、ユーザがスライドノブなどを操作して係止を解除すると、シャフトはバネの付勢力で上方にスライドされ、ストロボがカメラ本体から跳び出す（特許文献１）。
【先行技術文献】
【特許文献】
【０００３】
【特許文献１】特開２００９−０８６２２６号公報
【発明の概要】
【発明が解決しようとする課題】
【０００４】
カメラの小型化にともない、カメラ本体に内蔵されるストロボはレンズ光軸により近い位置に配置されるためケラレや赤目の影響が増大する。特にレンズ交換式のコンパクトカメラでは、例えば焦点距離の短いレンズが装着されるとその影響が大きい。そのため、このようなカメラでは、より遠くにストロボをポップアップさせる必要がある。しかし、カメラ本体が小型化されると、ポップアップ機構のシャフトの長さも短くする必要があるため従来のポップアップ機構ではストロボをレンズ光軸から十分に離すことができない。
【０００５】
本発明は、小型カメラに搭載される内蔵ストロボをレンズ光軸からより遠い位置までポップアップさせることを課題としている。
【課題を解決するための手段】
【０００６】
本発明の内蔵ストロボのポップアップ機構は、第１軸に沿って直動可能なシャフト部材と、シャフト部材の先端において第１軸に垂直な第２軸周りにその一端が枢軸されるアーム部材と、アーム部材の他端において第２軸と平行な第３軸周りに枢軸されるストロボ保持部材と、シャフト部材を第１軸に沿って付勢する第１軸方向付勢手段と、アーム部材をシャフト部材に対し第２軸周りに回転付勢する第２軸回転付勢手段と、アーム部材に対してストロボ保持部材を第３軸周りに回転付勢する第３軸回転付勢手段とを備え、ポップアップ時、第１軸方向付勢手段によりシャフト部材がカメラ本体から突出され、第１軸方向付勢手段による第１軸に沿った並進移動、第２および第３軸回転付勢手段による第２および第３軸周りの回転移動が同一面内でレンズ光軸から離れる方向へ行われることを特徴としている。
【０００７】
ポップアップ時、ストロボ保持部材は並進移動により第１軸に沿ってレンズ光軸から離れる方向へ移動されるとともに、回転移動によりレンズ光軸からさらに離れる方向へと移動される。収容作業を容易にするには、ポップアップ時、第１軸に対し第３軸が第２軸よりもカメラ本体の内側に配置されることが好ましい。
【０００８】
収容作業をより円滑にするには、ポップアップ状態において、ストロボ保持部材が第１軸方向にカメラ本体に向けて押圧されると、ストロボ保持部材およびアーム部材が第３、第２軸周りに回動され、その後シャフト部材が第１軸に沿ってカメラ本体内へ向けて移動されるように第１軸方向付勢手段、第２軸回転付勢手段、第３軸回転付勢手段の付勢力が設定されることが好ましい。
【０００９】
無駄なくストロボ本体を光軸から離すには、ポップアップ時、ストロボ保持部材は撮像素子の撮像面と平行な面内で移動されることが好ましい。よりコンパクトに構成するにはアーム部材はストロボ保持部材よりも後方に配置されることが好ましく、アーム部材はストロボカバー内に収容可能であることが好ましい。
【００１０】
また、シャフト部材は、カメラ本体の端部に配置されることが好ましく、例えば第２軸、第３軸周りの回転付勢力は互いに逆向きである。また、ポップアップ状態において、ストロボ保持部材に設けられたストロボ発光部の横軸は、撮像素子の水平ラインに略平行とされることが好ましい。
【００１１】
本発明のカメラは、上記内蔵ストロボポップアップ機構を備えたことを特徴としている。
【発明の効果】
【００１２】
本発明によれば、小型カメラに搭載される内蔵ストロボをレンズ光軸からより遠い位置までポップアップさせることができる。
【図面の簡単な説明】
【００１３】
【図１】内蔵ストロボが収容された状態のコンパクトカメラの正面図である。
【図２】内蔵ストロボが収容された状態のコンパクトカメラの頂面図である。
【図３】内蔵ストロボが収容された状態のコンパクトカメラの右側面図である。
【図４】内蔵ストロボが収容された状態のコンパクトカメラの斜視図である。
【図５】内蔵ストロボがポップアップされた状態のコンパクトカメラの正面図である。
【図６】内蔵ストロボがポップアップされた状態のコンパクトカメラの頂面図である。
【図７】内蔵ストロボがポップアップされた状態のコンパクトカメラの右側面図である。
【図８】内蔵ストロボがポップアップされた状態のコンパクトカメラの斜視図である。
【図９】ポップアップ状態における内蔵ストロボユニットの正面斜視図である。
【図１０】ポップアップ状態における内蔵ストロボユニットの側面斜視図である。
【図１１】ストロボ収容状態におけるカメラ本体の壁面を一部切除した斜視図である。
【図１２】ポップアップ状態におけるカメラ本体の壁面を一部切除した斜視図である。
【図１３】内蔵ストロボユニットの機械的な構成を示す模式図である。
【発明を実施するための形態】
【００１４】
以下、本発明の実施の形態を、図面を参照して説明する。図１〜図４は、本発明の一実施形態である内蔵ストロボポップアップ機構が採用されるコンパクトカメラの正面図、頂面図、右側面図、および正面斜視図である。なお、図１〜図４において、ポップアップ機構は収容された状態にある。
【００１５】
本実施形態のコンパクトカメラは、例えばレンズ交換式のデジタルカメラであり、カメラ本体１０の正面中央には、レンズ鏡筒を装着するレンズマウント１１が配置される。正面図、頂面図において、カメラ本体１０の頂面左側には、モード切替ダイヤル１２、電子ダイヤル１３、レリーズボタン１４等が配置され、右側前面には内蔵ストロボユニット１５が配置される。また、カメラ本体１０の頂面において、内蔵ストロボユニット１５の後ろ側には、内蔵ストロボユニット１５をポップアップさせるためのスライドノブ状のポップアップノブ１６が設けられる。なお各図は、レンズ鏡筒が取り外された状態で描かれ、図１〜図３には、レンズ鏡筒が装着されたときの光軸Ｌが一点鎖線で示される。
【００１６】
図５〜図８は、内蔵ストロボユニット１５がポップアップされた状態のカメラ本体１０の正面図、頂面図、右側面図、正面斜視図であり、図１〜図４にそれぞれ対応する。また、図９、図１０にポップアップ状態における内蔵ストロボユニット１５の正面斜視図および側面斜視図を示す。
【００１７】
内蔵ストロボユニット１５のポップアップ機構は主にシャフト部材１７、アーム部材１８、ストロボ保持部材１９から構成される。内蔵ストロボユニット１５の光源（図示せず）は、ストロボ保持部材１９に保持され、ストロボカバー２０内に収められる。またストロボカバー２０の前面には、ストロボ光を照射する窓２１が設けられる。
【００１８】
シャフト部材１７は、カメラ本体１０内において上下方向（第１軸方向）に直動可能であり、コイルバネなどの付勢手段によりカメラ本体１０の上方に向けて付勢される。シャフト部材１７の上端には、回転部（第２軸）２２が設けられ、例えばＬ字形のアーム部材１８の一端が軸支される。また、アーム部材１８の他端には回転部（第３軸）２３が設けられ、ストロボ保持部材１９が軸支される。
【００１９】
回転部２２には、例えばトーションスプリングなどの回転付勢手段が設けられ、アーム部材１８はシャフト部材１７に対して外側に向けて回転するように付勢される。また、回転部２３にもトーションスプリングなどの回転付勢手段が設けられ、ストロボ保持部材１９は、アーム部材１８に対して回転部２２での付勢方向とは逆向きに回転付勢される。すなわち、図５において回転部２２はアーム部材１８に対して時計周りの付勢力を与え、回転部２３はストロボ保持部材１９に対して反時計周りの付勢力を与える。
【００２０】
また回転部２２、２３には、回転を所定範囲に規制する係止機構がそれぞれ設けられ、各回転付勢手段によるアーム部材１８のシャフト部材１７に対する回転およびストロボ保持部材１９のアーム部材１８に対する回転は一定の角度範囲に規制される。また、シャフト部材１７の付勢手段による移動も、係止機構により所定の高さ以下に規制される。なお、図５〜図１０には、各係止機構により各部材の移動が停止された状態、すなわちポップアップによる移動の最終状態が示される。
【００２１】
図８に示されるように、カメラ本体１０の頂面左前側角部（図８における右側）には、ストロボカバー２０の形状に対応した凹部であるストロボ収容部２４が形成される。すなわち、ストロボ収容時、ストロボカバー２０は図４に示されるようにストロボ収容部２４にピッタリと収められ、ボディ全体は直方体を概ね呈する。
【００２２】
ストロボ収容部２４には、カメラ本体１０の左前側（図８における右側）の辺に沿ってシャフト部材１７が嵌挿、収容される縦穴状のシャフト収容部が形成される。シャフト収容部内には、例えば図９に示されるロッド状のガイド部材２５Ａが縦方向に沿って配置され、シャフト部材１７は、ガイド部材２５Ａに滑動自在に係合される。
【００２３】
シャフト部材１７には、ガイド部材２５Ａに平行なバネ保持部材２５Ｂが取り付けられ、その周囲にはコイルバネ（図示せず）が配置される。すなわち、収容時コイルバネは圧縮され、シャフト部材１７はコイルバネによりガイド部材２５Ａに沿ってカメラ本体１０の上方に向けて付勢される。シャフト部材１７が押し下げられ、ストロボカバー２０がストロボ収容部２４に収容されると、ストロボ保持部材１９はポップアップノブ１６とストロボカバー２０の間に設けられる係止機構によりその位置を固定され、ポップアップ機構の収容状態が維持される。
【００２４】
なお、図１０に示されるように、アーム部材１８はストロボ保持部材１９およびシャフト部材１７の後方に配置され、ストロボ収容時、アーム部材１８はストロボ保持部材１９の後ろ側に重ねられてストロボカバー２０内に設けられたアーム収納部２０Ａに収容される。
【００２５】
この状態（図１〜図４の収容状態）においてポップアップノブ１６が操作されると、ストロボ保持部材１９の係止状態が解除され、各付勢手段の付勢力により、シャフト部材１７が図５のようにＡ方向に押し上げられるとともに、アーム部材１８がシャフト部材１７に対してＢ方向に回転され、ストロボ保持部材１９がアーム部材１８に対してＣ方向に回転される。
【００２６】
なお、図１１、図１２は、シャフト部材１７が挿入されるシャフト収容部内の様子を示すためにカメラ本体１０の壁面を一部切除した斜視図であり、ストロボ収容状態およびポップアップ状態におけるカメラ本体１０のシャフト収容部内における様子が示される。
【００２７】
シャフト収容部は、カメラ本体１０の中央側と壁面２６、２７により隔てられる。壁面２６は、ストロボ収容部２４からシャフト部材１７の側面に添って下向きに延出し、その下端部は底面より少し上に位置する。一方、壁面２７は、壁面２６よりもカメラ本体１０の中央よりに配置され、壁面２６に平行に底面から上向きに延出して、その上端は壁面２６の下端部よりも少し上側に達する。
【００２８】
すなわち、カメラ本体１０の中央側の空間とシャフト収容部は、壁面２６、２７の間に形成される隙間を介して連通され、この隙間を通してカメラ本体１０内の電源回路とストロボ本体（図示せず）を連絡するリード線２８が配線される。図示されるように、リード線２８は、壁面２６、２７の隙間に沿って略Ｎ字形に配置され、シャフト部材１７の下端部からシャフト部材１７の内部に挿入され、回転部２２、アーム部材１８、回転部２３、ストロボ保持部材１９内を通ってストロボ本体（図示せず）に接続される。なお、リード線２８の配置は、本実施形態のＮ字形の配置に限定されるものではなく、シャフト軸方向への伸縮時にリード線２８が自由に曲がれば、例えばＳ字形やＵ字形の配置でもよい。
【００２９】
図１２に示されるように、Ｎ字形に配置されたリード線２８は、ポップアップ状態では略壁面２６の下端部に沿って湾曲される。一方ストロボ収容時には、シャフト部材１７が下降され、図１１に示されるように、壁面２６の下端部に沿って湾曲されていたリード線２８が略底面と接触する位置で湾曲される。
【００３０】
すなわち、壁面２６、２７の下端部、上端部の位置や、壁面２７の上端部からシャフト部材１７に至るリード線２８の長さは、ポップアップ状態においてリード線２８が引っ張られることがなく、かつストロボ収容時にリード線２８が弛み過ぎることがないように、シャフト部材１７の下端部の位置やそのシフト量などを考慮して決定される。
【００３１】
次に図１３を本実施形態のポップアップ機構の作用および効果について説明する。図１３は、内蔵ストロボユニット１５の機械的な構成を示す模式図であり、左側にストロボ収容時の状態が示され、右側にポップアップされた状態が示される。なお、図１３では、レンズは内蔵ストロボユニット１５の左側に配置される。
【００３２】
本実施形態において、アーム部材１８はＬ字形を呈し、短辺１８Ａの端部が回転部２２を介してシャフト部材１７の上端部に連結される。ストロボ収容状態において、短辺１８Ａはシャフト部材１７の軸方向に沿って配置され、シャフト収容部内に収められる。このときアーム部材１８の長辺１８Ｂは、カメラ本体１０の中央に向けて横向きかつカメラ本体横軸Ｙ（図１、図２参照）と平行に配置される。
【００３３】
また、ストロボ収容状態において、ストロボ保持部材１９は長辺１８Ｂに沿って横向きに配置される。なお、図１３では、ストロボ保持部材１９が便宜的にアーム部材１８の長辺１８Ｂの上側に描かれているが、実際には長辺１８Ｂの前方に重なった状態で配置される。
【００３４】
図５を参照して説明したように、シャフト部材１７は軸（第１軸）Ｘに沿って上方（Ａ方向）に付勢され、アーム部材１８は回転部２２において第１軸Ｘに垂直な第２軸を中心に時計回り（Ｂ方向）に回転付勢される。また、ストロボ保持部材１９は回転部２３により第１軸Ｘに垂直な第３軸を中心に反時計周り（Ｃ方向）に回転付勢される。なお、ストロボ機構がカメラ本体において本実施形態とは逆側（図１左側）に配置される場合には、上述した回転付勢の方向は逆向きになる。
【００３５】
ポップアップノブ１６（図４参照）が操作されポップアップ機構を固定する係合が解除されると、シャフト部材１７が、上方に距離Ｄ１分スライドされるとともに、アーム部材１８が、カメラ本体１０の外側に向けて角度θ１回転され、ストロボ保持部材１９がアーム部材１８に対して角度θ２回転される。なお、このポップアップ動作により、ストロボ本体は撮像素子の撮像面に平行な面（光軸Ｌ（図１〜図３参照）に垂直な面）内で移動される。
【００３６】
本実施形態では、略θ１＝θ２とされ、ポップアップ状態においてストロボ保持部材１９はカメラ本体１０の横軸Ｙ（図１、図２参照）に平行になる。しかし角度θ２は、ストロボ発光部が光軸Ｌからなるべく離れるとともにストロボ保持部材１９を押し下げ操作のみでストロボ収容部２４に収容可能であればよく、角度θ２の値はθ１と異なっていてもよい。すなわち、角度θ２は例えばθ１〜θ１＋９０°の範囲で設定され得る。ただし、ストロボ発光部の横軸とカメラ本体横軸Ｙ（即ち、撮像素子の水平ライン）が略平行でないと、ストロボ発光部の傾きに応じて撮像面の４隅の何れかにケラレが生じる可能性があるため、θ１＝θ２とする本実施形態の構成が好ましい。なお、回転量の規制は、回転部２２、２３に設けられる係止機構（図示せず）により行われる。
【００３７】
回転角θ１は、ポップアップ状態において回転部（第３軸）２３が、シャフト部材１７の軸（第１軸Ｘ）に対し回転部（第２軸）２２よりも内側（図中左側）に位置するように設定される。このとき回転部２３の位置、すなわちストロボ本体は、アーム部材１８の回転部２２周りのθ１の回転により縦軸に沿って距離Ｄ２分上方に移動され、横軸（Ｙ）に沿って距離（Ｌ１−Ｌ２）分外側に移動される。
【００３８】
ここでＬ１はＬ字形アーム部材１８の長辺１８Ｂの長さであり、ストロボ収容時における回転部２３の第１軸Ｘからの距離に対応する。また、Ｌ２はポップアップ状態における回転部２３の第１軸Ｘからの距離である。Ｌ字形アーム部材１８を用いた本実施形態では、アーム部材１８の短辺１８Ｂの長さをＬ３とすると、Ｌ２＝Ｌ１・ｃｏｓθ２−Ｌ３・ｓｉｎθ１と表され、Ｄ２＝Ｌ１・ｓｉｎθ２＋Ｌ３・（ｃｏｓθ１−１）と表される。
【００３９】
したがって、本実施形態のポップアップ機構では、第１軸方向へのシャフト部材１７のスライド動作による距離Ｄ１に加え、回転動作による高さ方向に距離Ｄ２、横方向に距離（Ｌ１−Ｌ２）分さらにレンズから離れる方向にストロボ本体を移動できる。これにより、内蔵ストロボをレンズ光軸からより遠ざけることができ、ケラレや赤目の発生を防止できる。
【００４０】
また、内蔵ストロボをポップアップされた状態から収容するには、ユーザがストロボカバー２０（図５、図８等参照）をストロボ収容部２４に向けて上から押し下げる。このとき回転部２３が回転部２２よりもカメラ本体１０の内側にあることから、アーム部材１８は回転部２２の回転付勢力に抗して図中左側に向けて倒され、図１３の左側に示される収容状態に至る。
【００４１】
また本実施形態のポップアップ機構では、ユーザが内蔵ストロボユニット１５を押し下げると、初めにアーム部材１８とストロボ保持部材１９が折り畳まれてアーム部材１８の長辺１８Ｂが横向きになり、その後にシャフト部材１７が押し下げられるように構成される。したがって、回転部２２、２３の回転付勢力とシャフト部材１７に対する上向きの付勢力は、このような順番で各部材が動かされるように設定され、本実施形態ではシャフト部材の上向き付勢力が最も強く設定される。なお、上記順番は、摩擦抵抗・その他手段でも制御可能である。
【００４２】
以上のように、本実施形態によれば、収容時コンパクトでありながらも、並進運動のみ、あるいは回転運動のみを利用したポップアップ動作からなる従来の構成に比べ、ポップアップ状態においてストロボをより遠くまで移動することができる。これによりケラレや赤目の防止をより効果的に行うことができる。特にレンズ交換式のコンパクトカメラのように、スペースが限られ、かつ焦点距離が短いレンズが装着される可能性があるカメラにおいて、本実施形態のポップアップ機構は有効である。
【００４３】
また、本実施形態ポップアップ機構では撮像面に平行な面内でストロボを移動させるため無駄なくストロボ光源をレンズ光軸から遠ざけることができる。また、アーム部材をストロボ保持部材、シャフト部材の後ろ（ストロボ発光面の後方）に配置したため内蔵ストロボユニットの前後方向幅が抑えられ、さらに折り畳み時にはアーム部材をストロボ保持部材と重ねることができるため収容時の大きさをよりコンパクトにすることができる。
【００４４】
さらに本実施形態では、ポップアップ状態におけるアーム部材の上側の回転部を下側の回転部よりも内側に配置したことで、ユーザは内蔵ストロボユニットを押し下げるだけでストロボを収容位置まで移動することができる。また押し下げる際に、ストロボ保持部材、アーム部材の折り畳みが先に行われ、その後シャフト部材が押し下げられる構成としたことで、より円滑な内蔵ストロボの収容が可能になる。
【００４５】
なお本実施形態では、シャフト部材がカメラ本体の上方にスライドされたが、光軸に垂直な面内であれば他の方向にスライドさせることも可能である。また、本実施形態では、レンズ交換式のコンパクトカメラを例に説明を行ったが、本実施形態のポップアップ機構は他のいかなる形式のカメラにも適用できる。また、本実施形態のアーム部材にはＬ字形の部材を用いたが、アーム部材として、Ｌ字形以外にもＩ字形や、Ｚ字形などの形状を利用し得る。
【００４６】
また、内蔵ストロボユニットは、収容状態、ポップアップ状態に関わらず発光可能とされてもよい。また、バネ力制御や摩擦抵抗を設けることで、各部材のポップアップ動作におけるポップアップ順を適宜設定することも可能であるが、ポップアップの順序は本実施形態に限定されるものではない。
【００４７】
本実施形態において、２つの回転部（第２、第３軸）における回転付勢力は、互いに逆向きであったが、これらを同じ方向とする構成であってもよい。また、アーム部材の数を増やす事で、ストロボの位置を光軸から更に遠ざけることができ、例えば、アーム部材をＬ字、逆Ｌ字、Ｌ字・・・、と交互に組み合わせることもできるが、コンパクト性の観点からは本実施形態のようにアーム部材を１つとすることが好ましい。
【符号の説明】
【００４８】
１０  レンズ交換式コンパクトカメラ
１５  内蔵ストロボユニット
１７  シャフト部材
１８  アーム部材
１９  ストロボ保持部材
２０  ストロボカバー
２２  回転部（第２軸）
２３  回転部（第３軸）
２４  ストロボ収容部
Ｌ  レンズ光軸
Ｘ  第１軸
Ｙ  カメラ本体横軸
【図１】
0005691829.tif 000002
【図２】
0005691829.tif 000003
【図３】
0005691829.tif 000004
【図４】
0005691829.tif 000005
【図５】
0005691829.tif 000006
【図６】
0005691829.tif 000007
【図７】
0005691829.tif 000008
【図８】
0005691829.tif 000009
【図９】
0005691829.tif 000010
【図１０】
0005691829.tif 000011
【図１１】
0005691829.tif 000012
【図１２】
0005691829.tif 000013
【図１３】
0005691829.tif 000014